【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
一対の電極間に発光層を含む少なくとも一層の有機層を有する有機電界発光素子であって、有機層のいずれかに下記一般式（Ｉ）で表される化合物の少なくとも一種を含有し、発光層に４座配位子を有する白金錯体燐光発光材料の少なくとも一種を含有することを特徴とする有機電界発光素子。
【化１】
2009231516.tif 000001
（一般式(Ｉ)中、Ｒ１〜Ｒ８は水素原子、もしくは、置換基であり、Ｒ１〜Ｒ８は隣接する置換基どうしで縮合環を形成しても良い。Ｒ９はアルキル基、アルケニル基、アリール基、ヘテロアリール基、シリル基を表し、それぞれ置換基で置換されていてもよい。Ｒ１〜Ｒ９の少なくともひとつは重水素原子、もしくは重水素原子を含む置換基である。）
【請求項２】
４座配位子を有する白金錯体燐光発光材料が、下記一般式（Ａ）、（Ｂ）、（Ｅ）又は（Ｆ）で表されることを特徴とする、請求項１に記載の有機電界発光素子。
【化２】
2009231516.tif 000002
（一般式（Ａ）中、ＲＡ３、ＲＡ４は、それぞれ独立に、水素原子または置換基を表し、ＲＡ１、ＲＡ２は、それぞれ独立に、置換基を表す。ＲＡ１、ＲＡ２をそれぞれ複数個有する場合、複数個のＲＡ１、ＲＡ２は同じであっても異なってもよく、互いに連結して環を形成してもよい。ｎＡ１及びｎＡ２はそれぞれ独立に０〜４の整数を表す。ＹＡ１は連結基を表す。）
（一般式（Ｂ）中、ＡＢ１〜ＡＢ６はそれぞれ独立にＣ−ＲまたはＮを表す。Ｒは水素原子または置換基を表す。ＬＢ１は単結合または二価の連結基を表す。ＸはＣまたはＮを表す。Ｚは式中のＸ−Ｃと共に形成される５または６員の芳香環または芳香族ヘテロ環を表す。ＱＢ１はＰｔに結合するアニオン性の基を表す。）
（一般式（Ｅ）中、ＡＥ１〜ＡＥ１４はそれぞれ独立にＣ−ＲまたはＮを表す。Ｒは水素原子または置換基を表す。ＬＥ１は単結合または二価の連結基を表す。）
（一般式（Ｆ）中、ＡＦ１〜ＡＦ１４はそれぞれ独立にＣ−ＲまたはＮを表す。Ｒは水素原子または置換基を表す。ＬＦ１は単結合または二価の連結基を表す。）
【請求項３】
一般式(Ｉ)で表される化合物の少なくとも一種を発光層に含有することを特徴とする、請求項１または２に記載の有機電界発光素子。
【請求項４】
一般式(Ｉ)で表される化合物の少なくとも一種を発光層に隣接する有機層に含有することを特徴とする、請求項１〜３のいずれか１項に記載の有機電界発光素子。
【請求項５】
一般式(Ｉ)で表される化合物の少なくとも一種を、発光層と発光層に隣接する有機層とにそれぞれ含有することを特徴とする、請求項１〜４のいずれか１項に記載の有機電界発光素子。
【請求項６】
一般式(Ｉ)で表される化合物が一般式（Ｖ）で表されることを特徴とする、請求項１〜５のいずれか１項に記載の有機電界発光素子。
【化３】
2009231516.tif 000003
（一般式(Ｖ)中、Ｒ51〜Ｒ58は水素原子、もしくは、置換基であり、Ｒ51〜Ｒ58は隣接する置換基どうしで縮合環を形成しても良い。Ａは連結基を表し、ｎ51は２〜６の整数を表す。一般式(Ｖ)で表される化合物は、少なくともひとつの重水素原子を含む。）
【請求項７】
請求項１〜６のいずれか１項に記載の有機電界発光素子を含む、表示素子。
【請求項８】
請求項１〜６のいずれか１項に記載の有機電界発光素子を含む、光源。
【請求項９】
請求項１〜６のいずれか１項に記載の有機電界発光素子を含む、照明光源。
【手続補正２】
【補正対象書類名】明細書
【補正対象項目名】００１０
【補正方法】変更
【補正の内容】
【００１０】
（一般式(Ｉ)中、Ｒ１〜Ｒ８は水素原子、もしくは、置換基であり、Ｒ１〜Ｒ８は隣接する置換基どうしで縮合環を形成しても良い。Ｒ９はアルキル基、アルケニル基、アリール基、ヘテロアリール基、シリル基を表し、それぞれ置換基で置換されていてもよい。Ｒ１〜Ｒ９の少なくともひとつは重水素原子、もしくは重水素原子を含む置換基である。）
（２）４座配位子を有する白金錯体燐光発光材料が、下記一般式（Ａ）、（Ｂ）、（Ｅ）又は（Ｆ）で表されることを特徴とする、上記（１）に記載の有機電界発光素子。
【化４】
2009231516.tif 000004
（一般式（Ａ）中、ＲＡ３、ＲＡ４は、それぞれ独立に、水素原子または置換基を表し、ＲＡ１、ＲＡ２は、それぞれ独立に、置換基を表す。ＲＡ１、ＲＡ２をそれぞれ複数個有する場合、複数個のＲＡ１、ＲＡ２は同じであっても異なってもよく、互いに連結して環を形成してもよい。ｎＡ１及びｎＡ２はそれぞれ独立に０〜４の整数を表す。ＹＡ１は連結基を表す。）
（一般式（Ｂ）中、ＡＢ１〜ＡＢ６はそれぞれ独立にＣ−ＲまたはＮを表す。Ｒは水素原子または置換基を表す。ＬＢ１は単結合または二価の連結基を表す。ＸはＣまたはＮを表す。Ｚは式中のＸ−Ｃと共に形成される５または６員の芳香環または芳香族ヘテロ環を表す。ＱＢ１はＰｔに結合するアニオン性の基を表す。）
（一般式（Ｅ）中、ＡＥ１〜ＡＥ１４はそれぞれ独立にＣ−ＲまたはＮを表す。Ｒは水素原子または置換基を表す。ＬＥ１は単結合または二価の連結基を表す。）
（一般式（Ｆ）中、ＡＦ１〜ＡＦ１４はそれぞれ独立にＣ−ＲまたはＮを表す。Ｒは水素原子または置換基を表す。ＬＦ１は単結合または二価の連結基を表す。）
【手続補正３】
【補正対象書類名】明細書
【補正対象項目名】００１１
【補正方法】変更
【補正の内容】
【００１１】
（３）一般式(Ｉ)で表される化合物の少なくとも一種を発光層に含有することを特徴とする、上記（１）または（２）に記載の有機電界発光素子。
【手続補正４】
【補正対象書類名】明細書
【補正対象項目名】００１２
【補正方法】変更
【補正の内容】
【００１２】
（４）一般式(Ｉ)で表される化合物の少なくとも一種を発光層に隣接する有機層に含有することを特徴とする、上記（１）〜（３）のいずれか１項に記載の有機電界発光素子。
【手続補正５】
【補正対象書類名】明細書
【補正対象項目名】００１３
【補正方法】変更
【補正の内容】
【００１３】
（５）一般式(Ｉ)で表される化合物の少なくとも一種を発光層と、発光層に隣接する有機層にそれぞれ含有することを特徴とする、上記（１）〜（４）のいずれか１項に記載の有機電界発光素子。
【手続補正６】
【補正対象書類名】明細書
【補正対象項目名】００１４
【補正方法】変更
【補正の内容】
【００１４】
（６）一般式(Ｉ)で表される化合物が一般式（Ｖ）で表されることを特徴とする、上記（１）〜（５）のいずれか１項に記載の有機電界発光素子。
【手続補正７】
【補正対象書類名】明細書
【補正対象項目名】００１５
【補正方法】変更
【補正の内容】
【００１５】
【化４】
2009231516.tif 000005
（一般式(Ｖ)中、Ｒ51〜Ｒ58は水素原子、もしくは、置換基であり、Ｒ51〜Ｒ58は隣接する置換基どうしで縮合環を形成しても良い。Ａは連結基を表し、ｎ51は２〜６の整数を表す。一般式(Ｖ)で表される化合物は、少なくともひとつの重水素原子を含む。）
（７）上記（１）〜（６）のいずれか１項に記載の有機電界発光素子を含む、表示素子。
（８）上記（１）〜（６）のいずれか１項に記載の有機電界発光素子を含む、光源。
（９）上記（１）〜（６）のいずれか１項に記載の有機電界発光素子を含む、照明光源。